(57)【要約】本発明は、無線デバイス及び無線アクセスネットワークノードを備える通信システムにおける方法であって、本方法は、前記無線デバイスにおいて、物理アップリンク制御チャネルにおける送信時間間隔（ＴＴＩ）長を設定するステップと、制御情報を、前記無線デバイスによって、前記物理アップリンク制御チャネルを介して前記設定された送信時間間隔長で送信するステップと、前記無線デバイスによって設定される前記送信時間間隔長を、前記無線デバイスと前記無線アクセスネットワークノードとの間のチャネル又はペイロード特性に基づいて変更するステップとを有すること、及び、開始することの少なくとも一方を行う。
2019521549.tif 000002
【特許請求の範囲】
【請求項１】
無線デバイス及び無線アクセスネットワークノードを備える通信システムにおける方法であって、
前記無線デバイスにおいて、物理アップリンク制御チャネルにおける送信時間間隔（ＴＴＩ）長を設定するステップと、
制御情報を、前記無線デバイスによって、前記物理アップリンク制御チャネルを介して前記設定された送信時間間隔長で送信するステップと、
前記無線デバイスによって設定される前記送信時間間隔長を、前記無線デバイスと前記無線アクセスネットワークノードとの間のチャネル特性又はペイロード特性に基づいて変更するステップと
を有すること、及び、開始することの少なくとも一方を行う
ことを特徴とする方法。
【請求項２】
前記無線アクセスネットワークノードによって、前記送信時間間隔長のインジケータを前記無線デバイスへ送信するステップを更に有する
ことを特徴とする請求項１に記載の方法。
【請求項３】
前記インジケータは、ダウンリンク制御情報（ＤＣＩ）におけるビットフィールドである
ことを特徴とする請求項１又は２に記載の方法。
【請求項４】
前記インジケータは、ダウンリンク制御情報（ＤＣＩ）のアグリゲーションレベル（ＡＬ）である
ことを特徴とする請求項２に記載の方法。
【請求項５】
前記設定される送信時間間隔長は、最近の復号されたダウンリンク制御情報（ＤＣＩ）又は最近の復号されたアグリゲーションレベル（ＡＬ）に基づいて、前記無線デバイスによって変更される
ことを特徴とする請求項３又は４に記載の方法。
【請求項６】
前記設定される送信時間間隔長は、最近の復号されたダウンリンク制御情報（ＤＣＩ）又は最近の復号されたアグリゲーションレベル（ＡＬ）に基づいて、送信前の時間期間内で、前記無線デバイスによって変更される
ことを特徴とする請求項３又は４に記載の方法。
【請求項７】
ＨＡＲＱフィードバックを送信する場合に、前記無線デバイスは、前記ＨＡＲＱフィードバックが実行される前記ダウンリンク送信をスケジュールするために使用されたＤＣＩメッセージ又はＡＬレベルを評価し、最新の物理ダウンリンク制御チャネル送信に従って前記送信時間間隔長を変更するように構成設定される
ことを特徴とする請求項３乃至６のいずれか１項に記載の方法。
【請求項８】
ダウンリンク送信において、所定数のレイヤを設定するステップを更に有し、前記所定数は、前記送信時間間隔長に関連している
ことを特徴とする請求項１乃至７のいずれか１項に記載の方法。
【請求項９】
前記設定される送信時間間隔長は、前記無線デバイスによって変更される
ことを特徴とする請求項１乃至８のいずれか１項に記載の方法。
【請求項１０】
前記無線デバイスは、前記無線アクセスネットワークノードに向けて送信されるペイロードデータの量に関連して前記送信時間間隔長を変更する
ことを特徴とする請求項９に記載の方法。
【請求項１１】
前記設定される送信時間間隔長は、無線リソース制御（ＲＲＣ）シグナリングを使用する送信構成設定に関連して前記無線デバイスによって変更される
ことを特徴とする請求項１乃至１０のいずれか１項に記載の方法。
【請求項１２】
前記設定される送信時間間隔長は、測定されたチャネル品質に関連して、前記無線デバイスによって変更される
ことを特徴とする請求項１乃至１１のいずれか１項に記載の方法。
【請求項１３】
前記チャネル品質は、リファレンス信号受信強度（ＲＳＲＰ）又はチャネル品質インジケータ（ＣＱＩ）を判定することを有する前記無線デバイスによって測定される
ことを特徴とする請求項１２に記載の方法。
【請求項１４】
前記設定される送信時間間隔長は、前記無線デバイスがダウンリンク制御情報（ＤＣＩ）を復号するまで最長送信時間間隔長が使用されるように、前記無線デバイスによって変更される
ことを特徴とする請求項１乃至１３のいずれか１項に記載の方法。
【請求項１５】
前記設定される送信時間間隔長は、スケジューリングリクエスト（ＳＲ）に対して最短時間間隔長が使用されるように、及び、所定時間間隔内でスケジューリングが実行されない場合に次のスケジューリングリクエスト（ＳＲ）に対して前記送信時間間隔長が増加されるように、前記無線デバイスによって変更される
ことを特徴とする請求項１乃至１４のいずれか１項に記載の方法。
【請求項１６】
前記送信時間間隔長がより長く変更される場合、より長い物理アップリンク共有チャネルを介してアップリンクデータを送信するステップを更に有する
ことを特徴とする請求項１乃至１５のいずれか１項に記載の方法。
【請求項１７】
無線アクセスネットワークノードとの通信が可能な無線デバイスを動作させる方法であって、
前記無線デバイスにおいて、物理アップリンク制御チャネルにおける送信時間間隔（ＴＴＩ）長を設定するステップと、
制御情報を、前記無線デバイスによって、前記物理アップリンク制御チャネルを介して前記設定された送信時間間隔長で送信するステップと
を有することを特徴とする方法。
【請求項１８】
前記設定される送信時間間隔長を変更するステップを更に有する
ことを特徴とする請求項１７に記載の方法。
【請求項１９】
前記設定される送信時間間隔長は、前記無線デバイスと前記無線アクセスネットワークノードとの間のチャネル特性又はペイロード特性に基づいている
ことを特徴とする請求項１７又は１８に記載の方法。
【請求項２０】
前記無線アクセスネットワークノードから、前記設定される送信時間間隔長のインジケータを受信するステップを更に有する
ことを特徴とする請求項１７乃至１９のいずれか１項に記載の方法。
【請求項２１】
前記インジケータは、ダウンリンク制御情報（ＤＣＩ）におけるビットフィールドである
ことを特徴とする請求項２０に記載の方法。
【請求項２２】
前記インジケータは、ダウンリンク制御情報（ＤＣＩ）のアグリゲーションレベル（ＡＬ）である
ことを特徴とする請求項２０又は２１に記載の方法。
【請求項２３】
前記設定される送信時間間隔長は、最近の復号されたダウンリンク制御情報（ＤＣＩ）又は最近の復号されたアグリゲーションレベル（ＡＬ）に基づいて、前記無線デバイスによって変更される
ことを特徴とする請求項２１又は２２に記載の方法。
【請求項２４】
前記設定される送信時間間隔長は、最近の復号されたダウンリンク制御情報（ＤＣＩ）又は最近の復号されたアグリゲーションレベル（ＡＬ）に基づいて、送信前の時間期間内で、前記無線デバイスによって変更される
ことを特徴とする請求項２１又は２２に記載の方法。
【請求項２５】
ＨＡＲＱフィードバックを送信する場合に、前記無線デバイスは、前記ＨＡＲＱフィードバックが実行される前記ダウンリンク送信をスケジュールするために使用されたＤＣＩメッセージ又はＡＬレベルを評価し、最新の物理ダウンリンク制御チャネル送信に従って前記送信時間間隔長を変更するように構成設定される
ことを特徴とする請求項２１乃至２４のいずれか１項に記載の方法。
【請求項２６】
ダウンリンク送信において、前記無線アクセスネットワークノードから、所定数のレイヤを受信するステップを更に有し、前記所定数は、前記設定される送信時間間隔長に関連している
ことを特徴とする請求項１７乃至２５のいずれか１項に記載の方法。
【請求項２７】
前記送信時間間隔長は、前記無線アクセスネットワークノードに向けて送信されるペイロードデータの量に関連して変更される
ことを特徴とする請求項１８乃至２６のいずれか１項に記載の方法。
【請求項２８】
前記設定される送信時間間隔長は、無線リソース制御（ＲＲＣ）シグナリングを使用する送信構成設定に関連して変更される
ことを特徴とする請求項１８乃至２７のいずれか１項に記載の方法。
【請求項２９】
前記設定される送信時間間隔長は、測定されたチャネル品質に関連して変更される
ことを特徴とする請求項１８乃至２８のいずれか１項に記載の方法。
【請求項３０】
前記チャネル品質は、リファレンス信号受信強度（ＲＳＲＰ）又はチャネル品質インジケータ（ＣＱＩ）を判定することを有する前記無線デバイスによって測定される
ことを特徴とする請求項２９に記載の方法。
【請求項３１】
前記設定される送信時間間隔長は、前記無線デバイスがダウンリンク制御情報（ＤＣＩ）を復号するまで最長送信時間間隔長が使用されるように変更される
ことを特徴とする請求項１８乃至３０のいずれか１項に記載の方法。
【請求項３２】
前記設定される送信時間間隔長は、スケジューリングリクエスト（ＳＲ）に対して最短時間間隔長が使用されるように、及び、所定時間間隔内でスケジューリングが実行されない場合に次のスケジューリングリクエスト（ＳＲ）に対して前記送信時間間隔長が増加されるように、前記無線デバイスによって変更される
ことを特徴とする請求項１８乃至３１のいずれか１項に記載の方法。
【請求項３３】
前記送信時間間隔長がより長く変更される場合、より長い物理アップリンク共有チャネルを介してアップリンクデータを送信するステップを更に有する
ことを特徴とする請求項１７乃至３２のいずれか１項に記載の方法。
【請求項３４】
無線デバイスとの通信が可能な無線アクセスネットワークノードを動作させる方法であって、
送信時間間隔長を、前記無線デバイスと前記無線アクセスネットワークノードとの間のチャネル特性又はペイロード特性に基づいて変更するステップであって、前記無線デバイスが、物理アップリンク制御チャネルにおける送信時間間隔（ＴＴＩ）長を、変更された送信時間間隔長に設定する、ステップと、
前記無線デバイスに向けて、前記変更された送信時間間隔長におけるインジケータを送信するステップと
を有することを特徴とする方法。
【請求項３５】
前記インジケータは、ダウンリンク制御情報（ＤＣＩ）におけるビットフィールドである
ことを特徴とする請求項３４に記載の方法。
【請求項３６】
前記インジケータは、ダウンリンク制御情報（ＤＣＩ）のアグリゲーションレベル（ＡＬ）である
ことを特徴とする請求項３４又は３５に記載の方法。
【請求項３７】
ダウンリンク送信において、所定数のレイヤを設定するステップを更に有し、前記所定数は、前記送信時間間隔長に関連している
ことを特徴とする請求項３４乃至３６のいずれか１項に記載の方法。
【請求項３８】
前記インジケータは、無線リソース制御（ＲＲＣ）シグナリングを使用する送信構成設定の一部として前記無線デバイスへ送信される
ことを特徴とする請求項３４乃至３７のいずれか１項に記載の方法。
【請求項３９】
チャネル品質を測定し、測定されたチャネル品質に基づいて前記送信時間間隔長を変更するステップを更に有する
ことを特徴とする請求項３４乃至３８のいずれか１項に記載の方法。
【請求項４０】
前記設定するステップにおいて、前記送信時間間隔長は、１乃至１３個のシンボルの内のいずれか１つの長さに設定される
ことを特徴とする請求項１乃至３９のいずれか１項に記載の方法。
【請求項４１】
前記シンボルは、直交周波数分割多重（ＯＦＤＭ）シンボル又はシングルキャリヤ周波数分割多元アクセス（ＳＣ−ＦＤＭＡ）シンボルである
ことを特徴とする請求項１乃至４０のいずれか１項に記載の方法。
【請求項４２】
前記制御情報は、ハイブリッド自動反復リクエスト（ＨＡＲＱ）及びスケジューリングリクエストの少なくとも一方に関連する情報を含んでいる
ことを特徴とする請求項１乃至４１のいずれか１項に記載の方法。
【請求項４３】
前記チャネル特性は、前記無線デバイスと前記無線アクセスネットワークノードとの間のチャネル状態である
ことを特徴とする請求項１乃至４２のいずれか１項に記載の方法。
【請求項４４】
前記ペイロード特性は、前記無線デバイスと前記無線アクセスネットワークノードとの間で送信されるペイロードに対するペイロードデータ長である
ことを特徴とする請求項１乃至４３のいずれか１項に記載の方法。
【請求項４５】
前記送信時間間隔（ＴＴＩ）長は、２、４又は７個のシンボルのいずれか１つに設定される
ことを特徴とする請求項１乃至４４のいずれか１項に記載の方法。
【請求項４６】
前記物理アップリンク制御チャネルにおける前記送信時間間隔（ＴＴＩ）長は、２、４又は７個のシンボルのいずれか１つに設定される一方で、物理ダウンリンク制御チャネルにおける前記送信時間間隔（ＴＴＩ）長は、２、４又は７個のいずれか１つに設定される
ことを特徴とする請求項１乃至４５のいずれか１項に記載の方法。
【請求項４７】
物理ダウンリンク制御チャネルにおける前記送信時間間隔（ＴＴＩ）長ｄと前記物理アップリンク制御チャネルにおける前記送信時間間隔（ＴＴＩ）長ｕは、（２，２）、（２，７）及び（７，７）のいずれか１つである（ｕ，ｄ）に設定される
ことを特徴とする請求項１乃至４６のいずれか１項に記載の方法。
【請求項４８】
請求項１７乃至３３、及び、４０乃至４７のいずれか１項に記載の方法のステップを実行するよう動作する無線デバイス。
【請求項４９】
請求項３４乃至４７のいずれか１項に記載の方法のステップを実行するよう動作する無線アクセスネットワークノード。
【請求項５０】
処理回路及びメモリを備える無線デバイスであって、前記メモリが、請求項１７乃至３３、及び、４０乃至４７のいずれか１項に記載の方法を実現することを前記処理回路に命令するためのコードを記憶することを特徴とする無線デバイス。
【請求項５１】
処理回路及びメモリを備える無線アクセスネットワークノードであって、前記メモリが、請求項３４乃至４７のいずれか１項に記載の方法を実現することを前記処理回路に命令するためのコードを記憶することを特徴とする無線デバイス。
【発明の詳細な説明】
【技術分野】
【０００１】
本開示は、一般的には、無線デバイスと無線アクセスネットワークノードを備えるシステムに関するものである。より詳しくは、本開示は、物理アップリンク制御チャネル（ＰＵＣＣＨ）における送信時間間隔の長さの設定に関するものである。本発明は、同様に、無線デバイスを動作させる方法、無線アクセスネットワークノードを動作させる方法、無線デバイス、及び、無線アクセスネットワークノードに関するものである。
【背景技術】
【０００２】
現代の無線通信ネットワークは、大量のデータを、分配された無線送信信号を使用する個々の無線デバイスへ無線アクセスネットワークノードから搬送することができる強力なシステムである。このような無線通信システムのデータスループットは、ここ何年も劇的に向上しており、音声だけでなく動画、及び、その他の大容量データファイルを個々の無線デバイス間で交換することができるようになっている。このようなデータは、通常は、いわゆるデータパケット（あるいは単にパケット）の形式で交換され、このようなデータパケットは、ネットワーク基盤に発信元から所与の宛先デバイスへパケットを転送することを可能にする各制御情報を搬送する、ある種のデータの塊と言うこともできる。
【０００３】
パケットレイテンシ(packet latency)は、ベンダー、オペレータ、及び、エンドユーザ（例えば、速度試験アプリケーションを介して）が定期的に測定するパフォーマンス測定基準の１つである。この測定されたレイテンシは、通常は、ある種の時間量を示していて、これは、パケットが所与の宛先に到達することを要求する時間あるいは遅延を示している。換言すれば、レイテンシを低くすると、より高速なネットワークパフォーマンスを感知することができる。レイテンシ測定は、一般的は、無線アクセスネットワークシステムの稼働期間のあらゆる局面で実行することができ、これには、例えば、新規のソフトウェアのリリースあるいはシステムコンポーネントを検証する場合や、システムを配備する場合、あるいはそのシステムを稼働する場合がある。例えば、３ＧＰＰ（第３世代パートナシッププロジェクト）実装よりも前の世代に比べて、より短いレイテンシは、いわゆるロングタームエボリューション（ＬＴＥ）技術の設計を誘導するパフォーマンス測定基準の１つであった。従前のシステムと比べて、ＬＴＥは、一般には、従前の世代の移動無線技術よりもより高速なインターネットへのアクセスを提供し、より低いデータレイテンシを提供するシステムとしてエンドユーザには認識されている。
【０００４】
しかしながら、パケットデータレイテンシは、システムの感知される応答性の役割を演じるだけでなく、システムのスループットに間接的に影響を及ぼすパラメータでもあり得る。従来、ＨＴＴＰ／ＴＣＰは、支配的なアプリケーションであり、また、インターネットで使用されるトランスポート層プロトコルの一式である。ＨＴＴＰアーカイブ（例えば、“http://httparchive.org/trends.php”を介してアクセス可能）に従えば、インターネットを介するＨＴＴＰベースのトランザクションの典型的なサイズは、数１０Ｋｂｙｔｅから１Ｍｂｙｔｅまでの範囲にある。このサイズ範囲において、ＴＣＰの低速な開始期間が、パケットストリームの総トランスポート期間の重要な部分となる場合がある。換言すれば、トランザクションのデータの量をより小さくすると、ネットワークの全体的に感知される「スピード」において関与する制御シグナリングの影響がより明白となる。上述のＴＣＰの低速な開始の間では、パフォーマンスが、レイテンシによって主に制限を受けていると見なされ得る。それゆえ、このようなレイテンシを改善することが、このようなタイプのＴＣＰベースのデータトランザクションに対する平均的なスループットを改善できることが示され得る。
【０００５】
しかしながら、データパケット通信での制御シグナリングの単独の削減は、信頼性のあるソリューションを提供できない可能性がある。これは、改善とスピード、即ち、関係するレイテンシを低くすることは、関係する通信相手同士の間、即ち、無線デバイスと対応する無線アクセスネットワークノードの間で制御データの信頼性のない交換がもたらされ得るからであり、また、例えば、冗長性、及び、他の誤り検出及び訂正メカニズムは、制御データの量が削減されると、影響を被り、ひいては、機能障害にすらなり得るからである。より詳しくは、無線デバイスに対する短縮された制御チャネルは、その無線デバイスが電力制限領域の範囲から外れる場合には、もはや確実に動作しない可能性がある。これは、このような場合での送信信号のロバスト性が、いくつかの利用可能なシンボルに関係するからである。
【発明の概要】
【発明が解決しようとする課題】
【０００６】
それゆえ、レイテンシを削減すると同時に、信頼性のある制御情報の交換を維持することができる、無線デバイス及び無線アクセスネットワークノードの改善されたシステムに対する要求が存在する。
【０００７】
上述の問題及び欠点は、独立請求項の特定事項によって解決される。また、好適な実施形態は、従属請求項において定義される。
【課題を解決するための手段】
【０００８】
本発明の一実施形態に従えば、無線デバイス及び無線アクセスネットワークノードを備える通信システムにおける方法が提供され、この方法は、前記無線デバイスにおいて、物理アップリンク制御チャネルにおける送信時間間隔（ＴＴＩ）長を設定するステップと、制御情報を、前記無線デバイスによって、前記物理アップリンク制御チャネルを介して前記設定された送信時間間隔長で送信するステップと、前記無線デバイスによって設定される前記送信時間間隔長を、前記無線デバイスと前記無線アクセスネットワークノードとの間のチャネル特性又はペイロード特性に基づいて変更するステップとを、有すること、及び、開始することの少なくとも一方を行う。
【０００９】
本発明の別の実施形態に従えば、無線アクセスネットワークノードとの通信が可能な無線デバイスを動作させる方法が提供され、この方法は、前記無線デバイスにおいて、物理アップリンク制御チャネルにおける送信時間間隔（ＴＴＩ）長を設定するステップと、制御情報を、前記無線デバイスによって、前記物理アップリンク制御チャネルを介して前記設定された送信時間間隔長で送信するステップとを有する。
【００１０】
本発明の別の実施形態に従えば、無線デバイスとの通信が可能な無線アクセスネットワークノードを動作させる方法が提供され、この方法は、送信時間間隔長を前記無線デバイスと前記無線アクセスネットワークノードとの間のチャネル特性又はペイロード特性に基づいて変更するステップであって、前記無線デバイスが、物理アップリンク制御チャネルにおける送信時間間隔（ＴＴＩ）長を変更された送信時間間隔長に設定する、ステップと、前記無線デバイスに向けて、前記変更された送信時間間隔長におけるインジケータを送信するステップとを有する。
【００１１】
本発明の別の実施形態に従えば、処理回路とメモリを備える無線デバイスが提供され、このメモリは、本開示によって記載される１つ以上の方法の実施形態を実現することを前記処理回路に命令するためのコードを記憶している。
【００１２】
本発明の更に別の実施形態に従えば、処理回路とメモリを備える無線アクセスネットワークノードが提供され、このメモリは、本開示によって記載される１つ以上の方法の実施形態を実現することを前記処理回路に命令するためのコードを記憶している。
【００１３】
本発明の実施形態は、本発明の概念をより理解するために提示されるが、これは、本発明を制限するものとしてみなされるものではなく、以下の図面を参照して説明されるものである。
【図面の簡単な説明】
【００１４】
【図１】本発明の実施形態に従う全体的なシステム構成設定の概要を示す図である。
【図２Ａ】本発明の対応する実施形態に従う送信時間間隔長を変更し設定する概要シーケンス図を示す図である。
【図２Ｂ】本発明の対応する実施形態に従う送信時間間隔長を変更し設定する概要シーケンス図を示す図である。
【図２Ｃ】本発明の対応する実施形態に従う送信時間間隔長を変更し設定する概要シーケンス図を示す図である。
【図２Ｄ】本発明の対応する実施形態に従う送信時間間隔長を変更し設定する概要シーケンス図を示す図である。
【図２Ｅ】本発明の対応する実施形態に従う送信時間間隔長を変更し設定する概要シーケンス図を示す図である。
【図２Ｆ】本発明の対応する実施形態に従う送信時間間隔長を変更し設定する概要シーケンス図を示す図である。
【図２Ｇ】本発明の対応する実施形態に従う送信時間間隔長を変更し設定する概要シーケンス図を示す図である。
【図３Ａ】本発明の方法の実施形態の概要シーケンス図を示す図である。
【図３Ｂ】本発明の方法の実施形態の概要シーケンス図を示す図である。
【図４Ａ】本発明の実施形態に従う無線アクセスネットワークノードの概要図を示す図である。
【図４Ｂ】本発明の実施形態に従う無線デバイスの概要図を示す図である。
【発明を実施するための形態】
【００１５】
図１は、本発明の実施形態に従う全体的なシステム構成設定の概略図を示している。このシステムは、少なくとも１つの無線デバイス２を備え、これは、ユーザ機器（ＵＥ）、無線通信デバイス、移動電話、スマートフォン、インターネット・オブ・シングス（ＩｏＴ）クライアント、あるいは、データを無線アクセスを介して無線通信システムに向けて搬送するための任意の他の適切なデータソースの内の１つの形式をとっている。それに応じて、このシステムは、少なくとも１つの無線アクセスネットワークノード１を備え、これは、無線基地局、ｅＮＢ、あるいは、無線アクセスポイントとして動作することができる任意の他の適切なタイプのノードの形式をとっている。
【００１６】
多くの無線通信ネットワークに共通しているように、チャネル２０は、例えば、無線デバイス２から無線アクセスネットワークノード１へ情報を搬送するためにセットアップされる。本実施形態では、チャネル２０は、物理アップリンク制御チャネル（ＰＵＣＣＨ）であり、これは、所与の数のシンボル２１１を含むサブフレーム２０１の形式で構成設定することができる。後半のシンボルは、直交周波数分割多重（ＯＦＤＭ）シンボルあるいはシングルキャリヤ周波数分割多元アクセス（ＳＣ−ＦＤＭＡ）シンボルとすることができる。通常は、サブフレーム２０１は、（例えば、１４）個別のシンボル２１１として構成設定することができる。また、送信時間間隔長（ＴＴＩ）が定義され、これは、シンボルの数を単位として、１つの個別の送信がどれくらいの長さであるかを判定するものである。例えば、ＴＴＩは、サブフレームの長さに一致していても良く、そうすることで、サブフレーム２０１は、本明細書では、無線デバイス２から無線アクセスネットワークノード１へ搬送される送信単位とすることができる。
【００１７】
本実施形態では、無線デバイス２は、物理アップリンク制御チャネル２０における送信時間間隔の長さを設定するように構成設定される。具体的には、無線デバイス２は、シンボルの数を単位として、また、おそらくはサブフレーム２０１の長さよりも短くもある、送信時間間隔の長さを設定するように構成設定される。その結果として、無線デバイス２は、送信時間間隔長を、図示されるような４個のシンボル２１０に、あるいは、１からそれより上位の値、例えば、１４までの範囲の中の任意の数のシンボルに、設定できる。
【００１８】
無線デバイス２は、更に、設定された送信時間間隔長、即ち、無線アクセスネットワークノード１に向けてのシンボルのセット２１０を用いて、物理アップリンク制御チャネル２０を介して、制御情報を送信するように構成設定される。本実施形態は、更に、送信時間間隔長（無線デバイス２がＴＴＩ長に設定する長さ）が、無線デバイスと無線アクセスネットワークノードの間のチャネルあるいはペイロード特性に基づいて変更されることを考慮していて、ここで、このチャネルあるいはペイロード特性は、無線デバイスと無線アクセスネットワークノードの間のチャネル状態という意味でのチャネル特性、及び、無線デバイスと無線アクセスネットワークノードの間で送信されるペイロードに対するペイロードデータ長という意味でのペイロード特性の内の任意の１つとすることができる。
【００１９】
無線デバイス２によって設定される送信時間間隔長を変更するための取り得るメカニズムについての詳細を、図２Ａから図２Ｇと以下の実施形態と共に説明する。これらの実施形態のいくつかは、ＤＬ  ＨＡＲＱを実行するためのＰＵＣＣＨの選択を特に検討し、ここでは、無線アクセスネットワークノードは、ＵＬ  ＴＴＩ長に対するデフォルトよりも長いＰＵＣＣＨ長を使用することを、短いＴＴＩの無線デバイスへ指示することができる。
【００２０】
図２Ａは、本発明の実施形態に従う送信時間間隔長を変更し設定する概要シーケンス図を示している。具体的には、本実施形態は、ステップＳ２１１において、無線アクセスネットワークノード１が、送信時間間隔のインジケータを判定（変更）して、ステップＳ２１２において、そのインジケータを無線デバイス２へ送信するように構成設定されることを想定している。ステップＳ２１３において、無線デバイス２は、送信時間間隔長を設定し、ステップＳ２１４において、それに応じて、制御データを、特定数のシンボルに対応する特定の送信時間間隔２１０で送信することができる。このインジケータは、通常は、１つの特定の無線デバイス、あるいは、それに加えて、何らかの方法で、選択されたグループの無線デバイスへ送信され得る。後者の場合では、ブロードキャストあるいはマルチキャストメカニズムを、複数の無線デバイスに対して設定されるＴＴＩ長に及ぼすために関与させることができる。
【００２１】
上述のインジケータは、対応する実施形態では、無線デバイス２によって受信されるダウンリンク制御情報（ＤＣＩ）におけるビットフィールドとすることができる。このようにして、無線アクセスネットワークノードが、どのようにして無線デバイスが送信時間間隔長を設定するかを制御することができる可能性がある。これに応じて、無線アクセスネットワークノードは、無線デバイス２がどんな長さを使用することになるかを気付くことができ、そうすることで、無線デバイス２からの制御情報を復号することを容易に達成することができる。
【００２２】
別の実施形態では、高速ダウンリンクＤＣＩにおけるビットフィールドが、特定の、即ち、より短いあるいはより長いＴＴＩ長と、それを伴うＰＵＣＣＨフォーマットの使用を指示するために使用される。このようにして、無線アクセスネットワークノード（例えば、ｅＮＢ）は、いくつかの理由により、より長いショートＰＵＣＣＨ（ｓＰＵＣＣＨ）フォーマットの使用を引き起こすこと決定することができる。１つの理由には、拡張された通信範囲に対して、測定結果が、無線デバイス（例えば、ＵＥ）にとっては不十分なチャネル状態を示している場合があり得る。別の理由には、より上位のペイロードを達成することがあり得る。自身のスケジューリングの決定に基づいて、ｓＰＵＣＣＨは、通常よりもより多くのビットを搬送することを必要とする場合がある。本実施形態は、更に、以下の図３Ｂと併せて説明される。
【００２３】
更なる実施形態では、例えば、ＤＣＩメッセージの一部としてのビットフィールドは、１ビットより大きいビットで構成しても良い。この場合、ビットシーケンスの異なる設定が、異なるＰＵＣＣＨリソースに対応して定義されても良く、これは、異なる長さ（ＰＵＣＣＨ／ＴＴＩ長）であっても良い。例えば、ビットフィールドの長さが２である場合、設定は、”００”：ショートＰＵＣＣＨフォーマット；”０１”：ロングＰＵＣＣＨフォーマット、リソース１；”１０”：ロングＰＵＣＣＨフォーマット、リソース２；、及び、”１１”：ロングＰＵＣＣＨフォーマット、リソース３に対応する。この場合、リソース１、２あるいは３は、上位レイヤのシグナリングによって構成設定され得る３つの異なるＰＵＣＣＨリソースとして識別される。これらのリソースは、例えば、異なる物理リソースブロック（ＰＲＢ群）を占有することによって、異なる直交カバーコードを使用することによって、あるいはＺａｄｏｆｆ−Ｃｈｕシーケンスのための異なる循環シフトを使用することによって、異ならせることができる。
【００２４】
図２Ｂは、本発明の実施形態に従う送信時間間隔長を変更し設定する概要シーケンス図を示している。具体的には、本実施形態は、ステップＳ２２１において、無線アクセスネットワークノード１が、送信時間間隔長を変更するためのインジケータを判定して、ステップＳ２２２において、そのインジケータをアグリゲーションレベルの形式で無線デバイス２へ送信するように構成設定されることを想定している。ステップＳ２２３において、無線デバイス２は、送信時間間隔長を設定し、ステップＳ２２４において、それに従って、制御データを特定数のシンボルに対応する特定の送信時間間隔２１０で送信することができる。特に、上述のアグリゲーションレベル（ＡＬ）は、ダウンリンク制御情報（ＤＣＩ）の１つとすることができる、あるいは、高速ＤＬ  ＤＣＩのアグリゲーションレベル（ＡＬ）は、ＴＴＩの長さと、その長さを伴うＰＵＣＣＨフォーマットを設定するために使用することができる。例えば、ＡＬ＝１は、ショートＰＵＣＣＨリースを示すことになるだろうし、一方で、ＡＬ＞１は、より長いフォーマットを示すことになるだろう。３つのフォーマットが利用可能である場合、ＡＬ＝２は、中間フォーマットを示すことができるだろうし、ＡＬ＞２は、最長フォーマットを示すことができるであろう。
【００２５】
更なる実施形態では、設定対象の送信時間間隔長は、無線デバイスによって、最近の復号されたダウンリンク制御情報（ＤＣＩ）あるいは最近の復号されたアグリゲーションレベル（ＡＬ）に基づいて変更され得る。このような実施形態は、更に、無線デバイスが、スケジューリングリクエスト（ＳＲ）を送信しようとしている場合に、デフォルト（図３Ｂを伴う開示も参照）よりも長いＰＵＣＣＨフォーマットをこれ以上使用しない可能性があることを検討する。無線デバイスは、ＵＥが復号している、最近の高速ＤＬあるいはＵＬ  ＤＣＩのＡＬに基づいてＳＲに対するＰＵＣＣＨフォーマットを選択しても良い。
【００２６】
更なる実施形態では、無線デバイスは、送信前の一定の時間間隔内に受信される最近のＤＣＩあるいはＡＬを使用するように構成設定することができる。無線デバイスによる送信が時間Ｔ１で発生すると、無線デバイスは、時間Ｔ１−Ｔ２前に発生している最近のＤＣＩあるいはＡＬを使用してＴＴＩ長を設定しても良く、ここで、Ｔ２はある種の待機レイテンシ時間として識別されるものである。換言すれば、ＤＣＩあるいはＡＬシグナリングによる、無線デバイスのＴＴＩ長の変更は直ちには適用されないばかりか、待機時間Ｔ２後に実施される。
【００２７】
更なる実施形態では、ＨＡＲＱフィードバックを送信する場合、無線デバイスは、ＤＣＩメッセージあるいはＡＬレベルを評価し、ここで、これらのＤＣＩメッセージあるいはＡＬレベルは、ダウンリンク（ＤＬ）送信をスケジュールするために使用されたものであり、このダウンリンク（ＤＬ）送信に対して、ＨＡＲＱが現在のＰＵＣＣＨ送信でフィードバックされ、そして、通常はＤＣＩメッセージを搬送する最新のこれらの物理ダウンリンク制御チャネル（ＰＤＣＣＨ）に従ってＴＴＩ長を選択／変更する。更に別の実施形態では、最新の信号送信されたＴＴＩ長は使用されないが、一定時間間隔内に信号送信された内の、あるいは、ＨＡＲＱビットが送信されるＤＬ送信をスケジュールする複数のＤＣＩメッセージの中の、最大のＴＴＩ長が適用される。
【００２８】
図２Ｃは、本発明の実施形態に従う送信時間間隔長を変更し設定する概要シーケンス図を示している。具体的には、本実施形態は、ステップＳ２３１において、無線アクセスネットワークノード１が、送信時間間隔長を変更するためのインジケータを判定するように構成設定されていることを想定する。次に、ステップＳ２３２において、判定されたインジケータが、ダウンリンク送信で、参照番号２２０のレイヤを判定するように構成設定され、ここで、この参照番号は、上記の送信時間間隔長に関連するものである。それに応じて、ステップＳ２３２において、ダウンリンク送信が実行され、これを用いて、黙示的に、設定対象の送信時間間隔長に対するインジケータを無線デバイス２に向けて搬送する。ステップＳ２３３において、無線デバイス２は、送信時間間隔長を設定し、それに応じて、ステップＳ２３４において、制御データを、特定の数のシンボルに対応する特定の送信時間間隔長２１０で送信することができる。換言すれば、ＤＬ送信におけるレイヤの数は、ＰＵＣＣＨ長を設定するために使用される。例えば、１つのレイヤだけが送信される場合、チャネルは、貧弱で、かつ、最長のＰＵＣＣＨ長であると見なされる、つまり、それに応じて、最長のＴＴＩ長が、通信範囲を保証するために使用され得る。
【００２９】
図２Ｄは、本発明の実施形態に従う送信時間間隔長を変更し設定する概要シーケンス図を示している。具体的には、ステップＳ２４１において、設定対象の送信時間間隔長が、無線デバイス２によって変更される。ステップＳ２４３において、無線デバイス２が、送信時間間隔長を設定し、それに従って、ステップＳ２４４において、制御データを、特定の数のシンボルに対応する特定の送信時間間隔２１０で送信することができる。更なる実施形態では、ステップＳ２４１において、無線デバイスは、無線アクセスネットワークノードに向けて送信されるペイロードデータの量に関連して、送信時間間隔長を変更する。
【００３０】
換言すれば、無線デバイスは、ペイロードが、閾値、例えば、３ビットより大きい場合に、自律的に、より長いｓＰＵＣＣＨフォーマット（ＴＴＩ長）を使用することができる。無線アクセスネットワークノードは、大きいペイロードを伴うＰＵＣＣＨを予期する時期を把握することができ、こうして、ＵＥがｓＰＵＣＣＨフォーマットを変更することに気付いている。この状況は、短いＴＴＩ動作に伴ういくつかの理由によって発生し得る。典型的な場合には、ＵＬ（アップリンク）ＴＴＩ長が、ＤＬ（ダウンリンク）ＴＴＩ長よりも大きい場合である。その結果として、いくつかのＤＬショートＴＴＩ群に対する確認応答が、同一のｓＰＵＣＣＨ（ショートＰＵＣＣＨ）送信で多重化することができる。このことは、多数のＭＩＭＯ（多元入力多元出力）レイヤに対するＨＡＲＱフィードバックの場合、多数のスケジュール済のキャリヤを含むキャリヤアグリゲーションに対するＨＡＲＱフィードバックの場合、あるいは、ＴＤＤの場合においても発生し得る。本実施形態を簡単にするために、無線デバイスは、自動的に、より長いｓＰＵＣＣＨフォーマットに切り替えることができ、これは、セカンダリセルがスケジュールされる場合である。また、フレーム構造２（ＦＳ２）あるいはフレーム構造３（ＦＳ３）を利用する際に、無線デバイスは、自動的により長いＰＵＣＣＨフォーマットに切り替えても良く、これは、ＵＬにおいて同一のショートＴＴＩに割り当てる複数のＤＬショートＴＴＩが存在する場合である。より長いＰＵＣＣＨフォーマットに切り替える場合には、ＵＬにおいてＨＡＲＱフィードバックに対して送信される、ＤＬにおけるｓＴＴＩの量は、ｓＴＴＩ長が増加することにより簡単に増加する。
【００３１】
図２Ｅは、本発明の実施形態に従う送信時間間隔長を変更し設定する概要シーケンス図を示している。具体的には、ステップＳ２５１において、無線リソース制御（ＲＲＣ）シグナリグを使用する送信構成設定（コンフィグレーション）が発生する。ステップＳ２５２において、無線デバイス２は、無線リソース制御（ＲＲＣ）を使用する送信構成設定（コンフィグレーション）に関連して、送信時間間隔長を設定することができる。従って、ステップＳ２５３において、無線デバイスは、制御データを、特定の数のシンボルに対応する特定の送信時間間隔２１０で送信することができる。換言すれば、無線デバイスは、ＲＲＣシグナリングを使用して送信に対してどのよう構成設定されたかに依存して、より長いｓＰＵＣＣＨフォーマットを使用しても良い。例えば、無線デバイスがキャリヤアグリゲーション（ＣＡ）で構成設定される場合、無線デバイスは、デフォルトとして、より長いｓＰＵＣＣＨフォーマットを使用することができる。無線デバイスが、ＤＬよりもＵＬにおいてより長いＴＴＩ長で構成設定される場合、無線デバイスは、デフォルトとして、より長いｓＰＵＣＣＨフォーマットを使用することができる。
【００３２】
図２Ｆは、本発明の実施形態に従う送信時間間隔長を変更し設定する概要シーケンス図を示している。具体的には、ステップＳ２６１において、設定対象の送信時間間隔長が、測定されたチャネル品質に関連して、無線デバイスによって変更される。ステップＳ２６２において、無線デバイス２は、上記の測定されたチャネル品質に関連して送信時間間隔長を設定することができる。従って、ステップＳ２６３において、無線デバイスは、制御データを、特定の数のシンボルに対応する特定の送信時間間隔２１０で送信することができる。更なる実施形態では、オプションとなるステップＳ２６０において、チャネル品質が無線デバイスによって測定され、これには、リファレンス信号受信強度（ＲＳＲＰ）あるいはチャネル品質インジケータ（ＣＱＩ）を判定することを含んでいても良い。
【００３３】
例として、無線デバイスは、より長いＰＵＣＣＨフォーマットを選択してもよく、これは、測定された品質インデックスが所定の閾値を下回る場合である。測定されたチャンネル品質インデックスは、ＲＳＲＰ（リファレンス信号受信強度）、ＣＱＩ（チャネル品質インジケータ）、あるいは、ＵＬ受信強度の推定値に基づくことができる。また、無線デバイスは、良好な通信範囲を保証するために、任意の高速ＤＣＩを復号する前に最長のＰＵＣＣＨリソースを使用しても良い。
【００３４】
図２Ｇは、本発明の実施形態に従う送信時間間隔長を変更し設定する概要シーケンス図を示している。具体的には、ステップＳ２７１において、設定対象の送信時間間隔長が無線デバイスによって変更され、そうすることで、最短（例えば、１個のシンボルあるいは２個のシンボルに等価な長さ）送信時間間隔長を、スケジューリングリクエスト（ＳＲ）に対して使用することができる。ステップＳ２７２において、無線デバイス２は、送信時間間隔長を設定することができ、それに従って、ステップＳ２７３において、無線デバイスは、スケジューリングリクエストのための制御データを特定の数のシンボルに対応する特定の送信時間間隔２１０で送信することができる。次のステップＳ２７４において、送信時間間隔長を次のスケジューリングリクエスト（ＳＲ）のために増加させることができ、これは、所定時間間隔内でスケジューリングが実行されない場合である。
【００３５】
ここで、無線デバイスは、ＳＲに対する最短のＰＵＣＣＨフォーマットを使用しても良く、これは、１回目のＳＲ試行に対して動作しているものである。無線アクセスネットワークノードがスケジュールを行わない場合、あるいは、一定の時間間隔の範囲内で無線デバイスにスケジュールを行うことが命令されない場合、無線デバイスは、新規のＳＲを送信して、その長さをより長いＰＵＣＣＨフォーマットに変更することができる。特定の実施形態では、無線デバイスは、サブフレームロングＰＵＣＣＨフォーマット、即ち、ＰＵＣＣＨフォーマット１でＳＲをレポートすることをフォールバックすることができる。このタイプの動作を許容するために、無線デバイスは、ＳＲに対して複数のＰＵＣＣＨフォーマットリソースで、潜在的には、ＴＴＩ長につき１つ、構成設定されても良い。リソースについてＳＲがレポートされるという別の可能性が、構成設定されたリソースの１つに基づいて暗黙的に導出される。無線アクセスネットワークノードは、更なる実施形態では、ＳＲがｓＴＴＩで受信される場合にはそのｓＴＴＩに基づいて、及び、ＳＲがサブフレームロングＴＴＩで受信される場合にはそのサブフレームロングＴＴＩに基づいて、無線デバイスをスケジュールしても良い。これは、無線デバイスに対するＵＬにおける通信範囲に一致させるために実現することができる。
【００３６】
更なる実施形態では、無線デバイスを、より長いＰＵＣＣＨ／ＴＴＩフォーマットあるいは長を変更することに変えて、スケジューリングリクエストＳＲを数回繰り返すように構成設定することができる。この繰り返し回数の数は、予め定めることができる。特に、無線デバイスがＴＴＩ毎にＳＲを送信することを許容される場合、無線デバイスはＮ個の連続するＴＴＩにおいてＳＲを送信することができる。ここで、Ｎは整数であり、これは、予め定められている、あるいは、無線デバイスに信号送信される。無線デバイスが選択することができる整数Ｎの集合は、２つ以上を存在し得る。このようにして、無線デバイスを、スケジューリングが発生するまで、短縮されたＴＴＩを使用するスケジューリングリクエストを繰り返すように構成設定することができる。
【００３７】
一般的には、本発明の実施形態は、レイテンシを削減することによって無線リソースの効率性を改善することができる。そして、より低いパケットデータレイテンシは、一定の遅延範囲内で可能な送信の数を増加させることになるであろう。その結果として、より高いブロック誤り率（ＢＬＥＲ）の目標値を、データ送信に対して、システムの容量を潜在的に改善する無線リソースを確保するために使用できるであろう。
【００３８】
パケットレイテンシの削減になる場合に取り組むための一面は、送信時間間隔（ＴＴＩ）の長さに取り組むことによって、データの搬送時間と制御シグナリングの削減であり得る。ＬＴＥリリース８では、例えば、ＴＴＩは、１ミリ秒の長さの１つのサブフレーム（ＳＦ）に対応する。このような１ｍｓＴＴＩは、通常循環プレフィックスの場合には１４個のＯＦＤＭあるいはＳＣ−ＦＤＭＡシンボルを使用することによって構築され、拡張循環プレフィックスの場合には１２個のＯＦＤＭあるいはＳＣ−ＦＤＭＡシンボルを使用することによって構築される。ＬＴＥリリース１３の状況では、例えば、ＬＴＥリリース８でのＴＴＩよりも短いＴＴＩでの送信を規定することが更に予期される。
【００３９】
一般的には、本発明の実施形態は、「サブサブフレーム（ＳＳＦ）」の概念という意味でＴＴＩを短縮することを決定することを仮定していて、ここで、短縮されたＴＴＩの単位は、サブフレームの一部としてのサブサブフレームに対応する。より短いＴＴＩ（ＳＳＦ）は、時間内の任意の継続時間を有し、また、１ｍｓのＳＦの範囲内の１４個より少ない数個のＯＦＤＭあるいはＳＣ−ＦＤＭＡシンボルにおいてリソースを構成するために決定することができる。一例として、ＳＳＦの継続時間は、０．５ｍｓ、即ち、通常循環プレフィックスの場合のものに対して、７個のＯＦＤＭあるいはＳＣ−ＦＤＭＡであり得る。最短のＴＴＩは、１つのシンボルの長さとして特定されても良い。
【００４０】
ショートＴＴＩでのＵＥを、グループｓＴＴＩ−ＲＮＴＩ（無線ネットワークテンポラリ識別子）が割り当てられることによってショートＴＴＩ動作のために構成設定することができる。無線デバイスは、ｓＴＴＩ−ＲＮＴＩでスクランブルされた「遅めの許諾（slow grants）」に対するＰＤＣＣＨの共通サーチ空間をサーチしても良い。この許諾は、ショートＴＴＩ動作に対して使用されるＤＬ及びＵＬでのショートＴＴＩ帯域に対する周波数割当を含むことができる。このような許諾を復号した後、無線デバイスはショートＴＴＩ動作となり得り、また、自身のサーチ空間を遅めの許諾によっても定義される帯域内制御チャネルに拡張することができる。いわゆる高速ＤＣＩ（ダウンリンク制御情報）は、ＤＬでのｓＴＴＩ帯域のｓＰＤＣＣＨサーチ空間内の帯域内で送信されても良い。ＤＣＩは、ＤＬ割当（高速ＤＬ  ＤＣＩ）ショートＴＴＩあるいはアップリンク許諾（高速ＵＬ  ＤＣＩ）を含むことができる。
【００４１】
遅めの許諾に加えて及びこれに関連して、１つ以上のショートＰＵＣＣＨ（ｓＰＵＣＣＨ）リソースを、ＵＬにおいて、明示的に（例えば、ＲＲＣを介して）あるいは黙示的（予め定義して）に定義することができる。異なるＴＴＩの複数のｓＰＵＣＣＨリソースを定義することができる。これらの異なるｓＰＵＣＣＨリソースは、フォーマット、長さ及びペイロードに関して異なっている。無線デバイスは、使用されたショートＴＴＩ構成設定を通じてデフォルトのｓＰＵＣＣＨ長が通知され、これは、ＤＬ及びＵＬでのＴＴＩ長である。従来技術（ＬＴＥリリース８）では、無線デバイスが、ＵＬデータをＰＵＳＣＨを介してアップリンク制御情報（ＵＣＩ）と同時に送信するようにスケジュールされる場合には、無線デバイスは、ＰＵＳＣＨとＰＵＣＣＨを同時に送信するようには構成設定されず、ＵＣＩは別々に符号化されて、所定のリソース要素（ＲＥ）に分けられる、ここで、ＵＣＩは、ＵＬデータを送信するためには使用されてくも良い。より短いＰＵＳＣＨに対しては、同様のソリューションが見込まれ得る。しかしながら、一般的には、ＰＵＣＣＨとＰＵＳＣＨは、それらが異なるＴＴＩを採用しても良いという意味で、異なる長さになり得ることに注意されたい。
【００４２】
本発明の実施形態は、電力制限領域にある場合に、ショートＰＵＣＣＨを用いることで無線デバイスが通信範囲の圏外になる危険にさらされることを解決することができる。これは、送信されるシンボルの数が関連している場合での送信のロバスト性によるものである。同一の問題が、ＰＵＳＣＨでのＵＣＩに対しても生じ得り、ここで、ＯＦＤＭシンボルに対して使用される利用可能な電力は、ＵＣＩとＵＬデータとの間で分けられる。
【００４３】
ＣＳＩに対するＰＵＣＣＨの場合において、ＣＳＩがスケジュールされる（高速ＤＣＩで指示される、あるいは、周期性を伴って構成設定される）場合、無線デバイスは、自律的に最長のＰＵＣＣＨフォーマットに切り替える。この切替は、十分なペイロード（図３Ｂ参照）を提供するために実行され得る。更なる実施形態は、周期的なＣＳＩでレポートするために多数のＰＵＣＣＨフォーマットリソースで構成設定される。このリソースは、７以下のＯＦＤＭシンボル長に対応し、また、ＰＵＣＣＨフォーマット２あるいはそれと同様のフォーマットに対応するリソースを含んでいても良く、ここで、この同様のフォーマットとは、おおよそ、サブフレームの長さ（例えば、１４個あるいは１３個のＯＦＤＭシンボル）に対応する。無線デバイスは、レポートするビットの数、要求される送信電力量、高速ＤＣＩでの指示、あるいはレポートされるエンティティの周期性に依存して、異なるＴＴＩ長の間でレポートすることを切り替えても良い。レポートに対するＴＴＩ長は、例えば、ＲＩ及びＣＳＩに対して異なっていても良く、これは、これらが、異なるレポート周期で構成設定され、また、異なる誤り率を要求し得るからである。典型的には、数個のビットではあるが、ランクは、ＣＩＳに比べて正確に受信するためにより重要である。
【００４４】
しかしながら、ＴＤＤ（時分割多重）動作におけるＰＵＣＣＨの場合、ＰＵＣＣＨ長は、ＴＤＤ構成設定とＴＴＩ長に関係し得る。ペイロードがＰＵＣＣＨで確認応答する必要があるＴＴＩの数に依存し得るので、無線デバイスと無線アクセスネットワークノードは、異なる組み合わせのテーブルを採用して、それに従って、ＰＵＣＣＨを設定することができる。
【００４５】
いくつかの取り得るＰＵＣＣＨ長の場合、本開示の一部としてのいくつかの実施形態のように、あるＤＬ割当に対するＨＡＲＱフィードバック用のＰＵＣＣＨ長は、ＤＣＩメッセージ、あるいは、ＤＣＩメッセージを搬送し、このＤＬ割当をスケジュールするＰＤＣＣＨ送信の特性に基づいて、判定されても良い。より長いＰＵＣＣＨ長の場合、あるいは、ＴＤＤ動作又はＣＡ動作の場合、１つのＤＬ割当よりも多いものからＨＡＲＱフィードバックが、同一のＰＵＣＣＨ送信で搬送することができ、この場合、ＰＵＣＣＨ長を判定するためのメカニズムが予期されても良い。一実施形態では、ＰＵＣＣＨ長は、最新の受信したＤＣＩメッセージあるいは一定の時間期間内のＲＲＣ構成設定に基づいて判定されても良い。更なる実施形態では、いくつかのＰＵＣＣＨ長を、受信したＤＣＩメッセージあるいはＲＲＣ構成設定に基づいて取り得り、その内、最大のものを選択することができる。
【００４６】
本発明の更なる実施形態は、物理アップリンク共有チャネル（ＰＵＳＣＨ）におけるＵＣＩに対する通信範囲を増加することを解決するものである。このような実施形態の内のある一組では、無線デバイスが、本開示で別の個所で記載されるようなルール群の１つに基づいてより長いＰＵＣＣＨを使用する場合であって、所定の閾値より少ないＯＦＤＭシンボルを占有するＰＵＳＣＨを介してＵＬデータを送信するようにスケジュールされる場合に、無線デバイスは、ＵＣＩの正常な受信を保証するためにより長いＰＵＳＣＨを使用しても良い。ここで、ＰＵＳＣＨ送信は、長さを異ならせることができ、ここで、この長さは、無線デバイスが、対応するＤＣＩメッセージあるいはＲＲＣ構成設定を受信しているか、あるいは、より長いＰＵＣＣＨを使用するために対応するチャネル測定を行っているかに依存するものであり、こうして、無線アクセスネットワークノードは、無線デバイスからのＰＵＳＣＨ長が、所与の仮定と比べて異なる可能性があることを考慮することができる。
【００４７】
更なる実施形態に従えば、ＰＵＳＣＨを介してＵＣＩを送信する場合、ＵＣＩは、ブロックコード、汎用コードあるいはそれらの組み合わせを使用してチャネル符号化される。無線デバイスが、例えば、本開示の他の個所で記載される一実施形態に沿って、スケジュールされたＰＵＳＣＨ送信がＵＣＩ送信のための通信範囲を提供しないことを命令される場合あるいは判定する場合、無線デバイスは、符号化されたＵＣＩを２つ以上の部分に分割することができる。最初の部分を、スケジュールされたＰＵＳＣＨ送信において送信することができる。残りの部分を、ＤＦＴ拡散ＯＦＤＭを使用するＰＵＣＣＨリソースにおいて送信することができる。最初のＰＵＳＣＨ送信時に近い時点で別のＰＵＳＣＨ送信がスケジュールされる場合には、残りの部分のいくつかを、最初の部分に対して使用されるパンクチャリングあるいはマッピングスキームと同一のものを使用して、このＰＵＳＣＨ送信と同時に送信することができる。計画されたＰＵＣＣＨ送信がスケジュールされたＰＵＳＣＨ送信と重複し、かつ、そのＰＵＣＣＨ送信がＰＵＳＣＨ送信前に開始する場合、符号化されたＵＣＩの最初の部分をＤＦＴ拡散ＯＦＤＭを使用するＰＵＣＣＨにおいて送信することができ、次の部分はＰＵＳＣＨで送信される（ＬＴＥリリース８参照）。
【００４８】
更なる実施形態では、無線デバイスが、例えば、本開示の他の個所で記載される一実施形態に沿って、スケジュールされたＰＵＳＣＨ送信がＵＣＩ送信のための通信範囲を提供しないことを命令される場合あるいは判定する場合、無線デバイスは、ＵＣＩを用いることなくＰＵＳＣＨ送信を送信して良く、そして、その後、ＰＵＣＣＨを介してＵＣＩを送信する。
【００４９】
図３Ａは、本発明の一般的な方法の実施形態の概要シーケンス図を示している。この方法の実施形態は、無線デバイスと無線アクセスネットワークノードを少なくとも備える通信システムを想定しているが、いくつかのステップあるいはすべてのステップを無線デバイスだけで実行することもでき、また、いくつかのステップを無線アクセスネットワークノードあるいは無線アクセスネットノードにおける動作に対応する動作を開始することができる別のネットワークエンティティで実行されても良い。この一般的な方法の実施形態は、無線デバイスにおいて、物理アップリンク制御チャネルにおける送信時間間隔（ＴＴＩ）の長さを設定するステップＳ３１１と、制御情報を、無線デバイスによって、物理アップリンク制御チャネルを介してその設定された送信時間間隔長で送信するステップＳ３２１を有するあるいは開始する。その前後の任意の時点で、この方法の実施形態は、無線デバイスによって設定される送信時間間隔長を無線デバイスと無線アクセスネットワークノードとの間のチャネルあるいはペイロード特性に基づいて変更するステップＳ３３１を有するあるいは開始する。
【００５０】
図３Ｂは、本発明の別の方法の実施形態の概要シーケンス図を示している。具体的には、ステップＳ３２１において、無線デバイス（例えば、ＵＥ）が、ｓＴＴＩ動作に設定され、ステップＳ３２２において、無線デバイスに、対応するデフォルトのｓＰＵＣＣＨ長が通知される。例えば、これは、最小長、例えば、１個のシンボルの長さに設定されても良い。ステップＳ３２３において、無線デバイスが、それに応じて短縮された物理アップリンク制御チャネル（ｓＰＵＣＣＨ）において制御情報を送信するべきことが判定される。ｓＰＵＣＣＨが、ＨＡＲＱに関連するか（ステップＳ３２４）、ＳＲに関連するか（ステップＳ３２５）、あるいはＣＳＩに関連するか（ステップＳ３２６）の判定がなされ、それに従って、この方法は、ｓＰＵＣＣＨに対する指示ビットが存在するかを判定するステップＳ３２７、あるいは、より長いｓＰＵＣＣＨを使用するステップＳ３２９へ進む。ステップＳ３２７において、ｓＰＵＣＣＨに対する指示ビットが存在しないと判定される場合、ステップＳ３２８において、デフォルトのｓＰＵＣＣＨが設定される。本実施形態は、特に、ＣＳＩとＨＡＲＱ−ＡＣＫを多重化する場合を考慮しても良く、また、無線デバイスが対応する情報を同時にレポートすることを構成設定される場合にのみ発生するＳＲを潜在的には考慮しても良い。そうでなければ、無線デバイスは、ＨＡＲＱ−ＡＣＫと潜在的なＳＲを送信するだけでも良い。ＳＲの機会がＣＳＩをレポートすることの機会と衝突する場合、一実施形態では、無線デバイスは、ＣＳＩレポートを破棄することによってＳＲをレポートするだけでも良い。
【００５１】
図４Ａは、本発明の実施形態に従う無線アクセスネットワークノードの概要図を示している。具体的には、ノード４１０は、処理回路４１１、メモリ４１２及び通信デバイス４１３を備えるあるいはアクセスすることができる。後者では、ノード４１０は、１つ以上のネットワーク（群）４１４及び無線環境４１４の少なくとも一方との間でデータを交換することができる。ノード４１０は、例えば、サーバ、コンピュータ、あるいは、データセンタあるいは任意の適切なネットワーク要素（基地局、ｅＮＢ等）によって提供される処理リソースとして実現されても良い。同様に、ノード４１０は、ネットワーク４１４の外部あるいは内部に存在しても良く、ここで、後者の場合、任意のネットワークノードあるいは要素が、対応する機能を伴って提供されても良い。
【００５２】
一般的には、上述の処理回路４１１は、処理ユニット、処理ユニットの集合、ＣＰＵ、共有のデータ／処理センタ及びその類であっても良い。処理回路４１１は、一般的には、メモリ４１２と通信デバイスへのアクセスを有し、また、制御することで、本開示に伴って記載される１つ以上の実施形態の少なくとも一部を実現することができる。具体的には、メモリ４１２は、無線アクセスネットワークノード１の中で、又は、無線アクセスネットワークノード１に対して行うために開示される、任意の方法ステップを実現するあるいは開始することを動作中の処理回路４１１に命令するコードを記憶することができる。関連の実施形態では、メモリ４１２は、無線デバイスと無線アクセスネットワークノードの間のチャネルあるいはペイロード特性に基づいて無線デバイスによって設定される送信時間間隔長を変更することを動作中の処理回路４１１に命令するためのコードを備えていても良い。
【００５３】
ある場合においては、ノード４１０は、自分自身において各機能を実現する一方で、別の場合においては、このような機能は、ノード４１０から遠隔で実現され、また、ノード４１０は、ネットワーク４１４を介して、例えば、データセンタの一部としてのいくつかの他の処理回路によって命令される。後者の場合、データセンタは、例えば、無線デバイスによって設定される送信時間間隔長を無線デバイスと無線アクセスネットワークノードとの間のいくつかの特性に基づいて変更することを判定しても良い。ノード４１４は、この場合、無線デバイスに向けて対応する情報（インジケータ）を、本実施形態に依存して搬送するための「リレー」として動作するだけでも良い。
【００５４】
図４Ｂは、本発明の実施形態に従う無線デバイスの概要図を示している。具体的には、無線デバイス４２０は、処理回路４２１、メモリ４２３及び通信デバイス４２２を備えることができる。後者では、無線デバイス４２０は、１つ以上の無線アクセスネットワークノードとの間でデータを交換することができる。具体的には、メモリ４２３は、物理アップリンク制御チャネルでの送信時間間隔（ＴＴＩ）の長さを設定し、制御情報を物理アップリンク制御チャネルを介してその設定された送信時間間隔長で送信することを、動作中の処理回路４２１に命令するコードを備えていても良い。更なる実施形態では、メモリ４２３は、送信時間間隔長を無線デバイスと無線アクセスネットワークノードの間のチャネルあるいはペイロード特性に基づいて変更することを、動作中の処理回路４２１に命令するためのコードを備えていても良い。
【００５５】
更なる実施形態に従えば、無線デバイスと無線アクセスネットワークノードを備える通信システムにおける方法が提供され、この方法は、無線デバイスによって、制御情報を物理アップリンク制御チャネルを介して設定済の送信時間間隔長で送信するステップと、物理アップリンク制御チャネルの送信時間間隔長を無線デバイスと無線アクセスネットワークノードとの間のチャネルあるいはペイロード特性に基づいて変更するステップを、有すること及び開始することの少なくとも一方を行う。
【００５６】
更なる実施形態に従えば、無線アクセスネットワークノードと通信することができる無線デバイスを動作させるための方法が提供され、この方法は、制御情報を、無線デバイスによって、物理アップリンク制御チャネルを介して、設定済の送信時間間隔長で送信するステップを、有すること及び開始することの少なくとも一方を行う。
【００５７】
更なる実施形態に従えば、無線デバイスと通信することができる無線アクセスネットワークノードを動作させるための方法が提供され、この方法は、物理アップリンク制御チャネルの送信時間間隔長を無線デバイスと無線アクセスネットワークノードとの間のチャネルあるいはペイロードの特定に基づいて変更するステップを、有すること及び開始することの少なくとも一方を行う。
【００５８】
本発明は、２つ以上の異なる長さのＰＵＣＣＨあるいはＰＵＳＣＨを切り替えることで、アップリンク制御の良好な通信範囲を保証するためのメカニズムを提案する。
【００５９】
一般的には、本発明の実施形態は、アップリンク制御の通信範囲を改善することができる一方で、例えば、ショートＴＴＩ動作中にあり、また、デフォルトでＰＵＣＣＨ長を使用することができる無線デバイスを定義することによって低レイテンシを維持する、ここで、ＰＵＣＣＨ長は、ＵＬとＤＬでのＴＴＩ長の組み合わせ、例えば、２個、４個、あるいは７個のシンボル長の組み合わせに対して構成設定されるものである。このＰＵＣＣＨは、ＤＬ  ＨＡＲＱ及びＳＲに対して使用することができる。低レイテンシを保証するために、選択されるデフォルトは、関連するチャネル状態での品質要件を満足しながらできる限り低くすることができる。
【００６０】
また、実施形態は、ｓＰＵＣＣＨにおけるショートＴＴＩ動作でどのようにしてＵＣＩを送信するかを解決する。ショートＰＵＣＣＨであるｓＰＵＣＣＨは、ショートＤＬ送信に対して、高速ＳＲ及びＣＳＩに対して、及び、ＴＤＤサポートに対して、ＨＡＲＱをサポートするために導入することができる。ｓＰＵＣＣＨは、ＵＬショートＴＴＩ帯域、あるいはその帯域の最後でのＰＵＣＣＨの近辺で位置することになるであろう。ｓＰＵＣＣＨは、スロット境界を横断しないことで、ホッピング割当を許容することができる。
【００６１】
［２／３シンボルｓＰＵＣＣＨ］
２個のシンボルのショートＤＬ  ＴＴＩに対しては、ｓＰＵＣＣＨは、最適なレイテンシの利益を提供するための長さと等しくすることができる。これは、ＤＬ  ＴＴＩとｓＰＵＣＣＨとの間の単純な１−１マッピングを可能にすることができる。ＤＬにおいて２個までのレイヤをサポートすると、ＨＡＲＱペイロードは２ビットまでとなり、これは、１つのＤＭＲＳに続いて１つのＢＰＳＫ／ＱＰＳＫシンボルが繰り返すことを満足するものであり、例えば、以下のようになる（２／３シンボルｓＰＵＣＣＨの例、ＳＲＳがシンボル１３で送信される場合、最後のｓＰＵＣＣＨは破棄される。ＲはＤＭＲＳを示し、Ｄはデータを示している）：
0  1  2  3  4  5  6  7  8  9  10  11  12  13
R  D  D  R  D  R  D  R  D  D  R   D    R   D
sPUCCH    0        1     2     3        4        5              。
【００６２】
特に、ＳＲに対しては、待機時間を削減するためにショートＴＴＩを有することは、レイテンシの観点から好ましいといえる。ＳＲは、ＤＭＲＳ循環プレフィックスのチャネル選択を用いて示すことができる。ＨＡＲＱ＋ＳＲに対する６個のｓＰＵＣＣＨリソースが、ＰＲＢ毎に定義され得る。データシンボルが後に続くリファレンスシンボルを伴う単純なＰＦ１に基づくソリューションは、ユーザ多重化を許容する。
【００６３】
［考察１］ＰＦ１に基づく２シンボルｓＰＵＣＣＨは、ユーザ多重化を許容する。［提案１］固定開始位置での長さ２／３シンボルのｓＰＵＣＣＨフォーマット、２ビットまでのＨＡＲＱ、及び、ＳＲを示すためのチャネル選択が定義されても良い。
【００６４】
［７シンボルｓＰＵＣＣＨ］
より短いｓＰＵＣＣＨソリューションに加えて、より長いｓＰＵＣＣＨを通信範囲を改善するために採用しても良い。ＴＤＤ動作に対しては、ＣＳＩと、ＣＡサポートのための上位ペイロードが要求されても良い。ＰＦ３に基づく７シンボルｓＰＵＣＣＨは、改善された通信範囲と増加されたペイロードについての要件を満足するだろうし、また、十分な低レイテンシを提供するであろう。また、７シンボルについては、２データシンボルの周波数ホッピングを伴うｓＰＵＣＣＨと、２つの異なるＰＲＢで繰り返されるリファレンスシンボルが提供されても良い。取り得る設計の例には、以下のものがある（周波数ホッピングを伴う７シンボルｓＰＵＣＣＨの例。ＲはＤＭＲＳを示し、Ｄはデータを示し、ＳはＳＲＳを示している）：
0  1  2  3  4  5  6  7  8  9  10  11  12  13
D  R  D              D  R  D
D  R  D  R            D  R   D    S
sPUCCH    0                    1                                。
【００６５】
このような設計は、２データシンボルを超えるＯＣＣの使用を伴う２個のＵＥの多重化を可能にしても良い。別のｓＰＵＣＣＨは、交互ＰＲＢパターンを伴う別のｓＰＵＣＣＨを定義することができ、そうすることで、２ＰＲＢを伴う合計４ｓＰＵＣＣＨリソースを定義することができる。
【００６６】
［考察２］７シンボルｓＰＵＣＣＨは、周波数ホッピングと２ＵＥの多重化を許容する。［提案２］長さ７シンボルの少なくとも１つの上位ペイロードｓＰＵＣＣＨフォーマットで、拡張された通信範囲の使用をターゲットにする、ＦＳ２及びＣＡサポートが定義されても良い。
【００６７】
ＤＬ送信で２以下のレイヤに対して要求されるペイロードに対し、また、ＳＲに対し、ＵＥからｓＰＵＣＣＨに対して要求されるペイロードは、Ｎ個のＤＬ  ＴＴＩに対し２*Ｎ+１ビット以下になると仮定することができる。ＦＤＤにおいて、Ｎは、ＤＬ  ＴＴＩの数と、サブフレーム毎のｓＰＵＣＣＨ  ＴＴＩの数との比率となり、ＴＴＤにおいては、無線フレームで確認される比率となる。１つのＵＥだけがＤＬ  ＴＴＩの受信機であり、また、１つ周波数リソースがすべてのＵＥのｓＰＵＣＣＨに対して使用されているという仮定の下では、Ｎは、ｓＰＵＣＣＨにおいて多重化するためのＵＥの最大数となる。ＦＤＤに対する例として、２ｏｓ  ｓＰＵＣＣＨ  ＴＴＩを伴う２ｏｓ  ＤＬ  ＴＴＩはＮ＝１となり、一方で、７ｏｓ  ｓＰＵＣＣＨはＮ＝３となる。ＴＤＤ構成設定１では、７ｏｓ  ｓＰＵＣＣＨ  ＴＴＩを伴う２ｏｓ  ＤＬとＴＴＩはＮ＝４となり、一方で、構成設定０では、Ｎ＝２となる。最大ペイロードを考慮する場合には、アグリゲートされるキャリヤの量を、更に、検討することができる。
【００６８】
更なる実施形態はｓＰＵＣＣＨ長の切替を考慮することができ、また、デフォルトのｓＰＵＣＣＨを所与のｓＴＴＩ長に対して定義することができ、例えば、以下（ＤＬ  ＴＴＩとｓＰＵＣＣＨ長の組み合わせ）のようになる：
DL TTI 長 2OS              DL TTI 長 3OS
sPUCCH 2/3os    デフォルト                 デフォルト
sPUCCH 7os      通信範囲／ペイロード       通信範囲／ペイロード
DL TTI 長 4OS              DL TTI 長 7OS
sPUCCH 2/3os    デフォルト                 サポート外
sPUCCH 7os      通信範囲／ペイロード       デフォルト                。
【００６９】
［提案３］ｓＰＵＣＣＨフォーマットを、特定のショートＴＴＩ構成設定とＵＣＩコンテンツに対して定義することができる。
【００７０】
より長いｓＰＵＣＣＨを与えることができる改善された通信範囲を示すことができる。つまり、電力に制限のあるＵＥに対して、複数のｓＰＵＣＣＨ：１つはｓＴＴＩ構成設定に対するデフォルトと、より長いｓＰＵＣＣＨとの間で切替を可能にするという利益をもたらすことができる。ペイロードに関しては、ＦＳ２とＣＡに対して、多くの情報ビットを送信するために必要とする場合があると言える。つまり、ＰＦ１に基づく下位のペイロードフォーマットは適切でない場合があり、ＰＦ３あるいはＰＦ４に基づくより長いフォーマットを使用することができる。［提案４］改善された通信範囲あるいは増加されたペイロードに対してより長いｓＰＵＣＣＨフォーマットに切り替える可能性があり得る。
【００７１】
改善された低レイテンシに対して、ＨＡＲＱを伴わないＳＲは、より短いｓＰＵＣＣＨにおいて示され得る。より長いｓＰＵＣＣＨにおけるＨＡＲＱが送信されるべきである場合、ＳＲはこのリソース上で符号化される。改善された通信範囲に対しては、ＳＲはショートｓＰＵＣＣＨで繰り返され得る。［提案５］ショートｓＰＵＣＣＨフォーマットを、２／３ＯＦＤＭシンボルの長さのＨＡＲＱを伴わずに、ＳＲだけを示すために使用することができる。
【００７２】
上記に基づいて、１つ以上の更なる実施形態は、以下の１つ以上の特徴を含むことできる。：２ビット以下のＨＡＲＱとＳＲを示すためのチャネル選択を、固定開始位置での長さ２／３シンボルのｓＰＵＣＣＨフォーマットを定義すること；拡張された通信範囲、ＦＳ２とＣＡのサポートを使用する場合をターゲットにして、長さ７シンボルの少なくとも１つの上位ペイロードｓＰＵＣＣＨフォーマットを定義すること；特定のショートＴＴＩ構成設定及びＵＣＩコンテンツに対するｓＰＵＣＣＨフォーマットが定義される；改善された通信あるいは増加されたペイロードに対するより長いｓＰＵＣＣＨフォーマットに切り替えることが可能である；ショートｓＰＵＣＣＨフォーマットが、長さ２／３ＯＦＤＭシンボルのＨＡＲＱを伴わないＳＲだけを示すために使用される。
【００７３】
本発明の更なる実施形態に従えば、送信時間間隔（ＴＴＩ）の長さは、２、４、あるいは７個のシンボルの任意の１つに設定される。好ましくは、物理アップリンク制御チャネルにおける送信時間間隔（ＴＴＩ）の長さは、２、４、あるいは７個のシンボルの任意の１つに設定されても良く、一方で、物理ダウンリンク制御チャネルにおける送信時間間隔（ＴＴＩ）の長さは、２、４、あるいは７個のシンボルの任意の１つに設定されても良い。また、長さｄを、物理ダウンリンク制御チャネルにおける送信時間間隔（ＴＴＩ）に対して定義することができ、また、長さｕを、物理アップリンク制御チャネルにおける送信時間間隔（ＴＴＩ）に対して定義することができ、ここで、（ｕ，ｄ）は、（２，２）、（２，７）及び（７，７）の任意の１つにすることができる。
【００７４】
より詳しくは、ＤＬとＵＬに対するｓＴＴＩの組み合わせに対しては、以下の代替の１つ以上をサポートすることができる。代替１：（２，２）、（７，７）；代替２：（２，２）、（２，４）、（７，７）；代替３：（２，２）、（２，７）、（７，７）；代替４：（２，２）、（２，４）、（２，７）、（７，７）。ここで、（ａ，ｂ）は（ＤＬ  ｓＴＴＩ長，ＵＬ  ｓＴＴＩ長）を示し、ＤＬ  ｓＴＴＩ長はｓＰＤＣＣＨ及びｓＰＤＳＣＨに対して使用され、ＵＬ  ｓＴＴＩ長はｓＰＤＣＣＨ及びｓＰＤＳＣＨそれぞれに対応するｓＰＵＳＣＨ及びｓＰＵＣＣＨに対して使用される。また、（２，１４）及び（７，１４）の少なくとも一方を選定しても良い。更に、また、無線デバイス（ＵＥ）は、ＰＵＣＣＨグループ内の以下のｓＴＴＩの組み合わせ（ＤＬ，ＵＬ）：（２，２）、（２，７）及び（７，７）の１つで動作するためにより上位のレイヤによって構成設定されても良い。
【００７５】
更なる実施形態に従えば、ＳＲを伴わない１−シンボルＰＵＣＣＨを、１あるいは２ビットのＵＣＩペイロードサイズで採用することができる。好ましくは、ＲＳ及びＵＣＩは、ＯＦＤＭシンボル内でＦＤＭの手法によって多重化することができ、ここで、ＵＣＩはシーケンスであり得り、また、ＦＦＳに対して低ＰＡＰＲ設計を適用することができる。選択的には、シーケンス選択を低ＰＡＰＲで採用することができ、これは、ＳＲだけが適用される場合あるいはＳＲと他のＵＣＩが適用される場合である。このことは、特別なＳＲ設計の必要性を暗示しない。更なる実施形態に従えば、２−シンボルＮＲ−ＰＵＣＣＨを採用することができ、ここで、取り得るダウン−選択を含む以下のオプションの１つを考慮することができる。オプション１：２−シンボルＮＲ−ＰＵＣＣＨを、同一のＵＣＩを搬送する２つの１−シンボルＮＲ−ＰＵＣＣＨで構成することができ、ここで、同一のＵＣＩを、１−シンボルＮＲ−ＰＵＣＣＨの繰り返しを使用するシンボルに渡って繰り返すことができる、あるいは、ＵＣＩを符号することができ、また、その符号化されたＵＣＩビットはシンボルに渡って分散される。オプション２：２−シンボルＮＲ−ＰＵＣＣＨを、例えば、２つ目のシンボルにおいて時間的制約のあるＵＣＩ（例えば、ＨＡＲＱ−ＡＣＫ）とする異なるＵＣＩを搬送する２つのシンボルで構成することができる。また、２つのＮＲ−ＰＵＣＣＨを、ＴＤＭの手法で同一のスロット上で１つの無線デバイス（ＵＥ）から送信することができ、ここで、２つのＮＲ−ＰＵＣＣＨをショート−ＰＵＣＣＨにすることができること、２つのＮＲ−ＰＵＣＣＨをロング−ＰＵＣＣＨ＋ショート−ＰＵＣＣＨにすることができること、２つのＮＲ−ＰＵＣＣＨをロング−ＰＵＣＣＨ＋ロング−ＰＵＣＣＨにすることができること、他の多重化スキーム（群）を２つのＮＲ−ＰＵＣＣＨの間で採用できること、及び、２より多いＮＲ−ＰＵＣＣＨを無線デバイス（ＵＥ）からの１スロットにおいて採用できることの少なくとも１つを含んでいる。但し、２より大きい場合、ショート−ＰＵＣＣＨのみが採用されても良い。
【００７６】
更なる実施形態に従えば、長い継続期間でのＰＵＣＣＨの構造を採用することができる。具体的には、長い期間に対する所与のスロットにおけるＮＲ−ＰＵＣＣＨに対して、特別なＰＵＣＣＨフォーマットを、例えば、１あるいは２ビットの小ＵＣＩペイロードに対するＬＴＥ  ＰＵＣＣＨ  １ａ／１ｂとして採用することができ、これは、特に、ＮＲ−ＰＵＣＣＨに対して利用可能なシンボルの数、割り当てられた複数のシンボルに渡る時間ドメインＯＣＣ、ＬＴＥ  ＰＵＣＣＨフォーマット４あるいは特定のビット数の大ＵＣＩペイロードに対するＰＵＳＣＨ、（仮想）周波数ドメインＯＣＣの観点を踏まえたものである。また、ＮＲ−ＰＵＣＣＨに対して利用可能な異なる数のシンボルに対するＮＲ−ＰＵＣＣＨのスケーラビリティを考慮することができる。更に、また、スロットにおける長い継続期間のＮＲ−ＰＵＣＣＨに対するシンボルの数のセットは、（４，５，６，７，８，９，１０，１１，１２，１３，１４）の内の、任意のサブセットあるいはフルセットとすることができる。
【００７７】
詳細な実施形態を説明してきているが、これらは、独立請求項によって定義される本発明のより良い理解を提供することを果たしているだけであり、制限するものとしてみなされるべきものではない。
【図１】
2019521549.tif 000003
【図２Ａ】
2019521549.tif 000004
【図２Ｂ】
2019521549.tif 000005
【図２Ｃ】
2019521549.tif 000006
【図２Ｄ】
2019521549.tif 000007
【図２Ｅ】
2019521549.tif 000008
【図２Ｆ】
2019521549.tif 000009
【図２Ｇ】
2019521549.tif 000010
【図３Ａ】
2019521549.tif 000011
【図３Ｂ】
2019521549.tif 000012
【図４Ａ】
2019521549.tif 000013
【図４Ｂ】
2019521549.tif 000014
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
無線デバイス及び無線アクセスネットワークノードを備える通信システムにおける方法であって、
前記無線デバイスにおいて、物理アップリンク制御チャネルにおける送信時間間隔（ＴＴＩ）長を設定するステップと、
制御情報を、前記無線デバイスによって、前記物理アップリンク制御チャネルを介して前記設定された送信時間間隔長で送信するステップと、
前記無線デバイスによって設定される前記送信時間間隔長を、前記無線デバイスと前記無線アクセスネットワークノードとの間のチャネル特性又はペイロード特性に基づいて変更するステップと、
前記無線アクセスネットワークノードによって、前記送信時間間隔長のインジケータを前記無線デバイスへ送信するステップと
を有すること、及び、開始することの少なくとも一方を行う
ことを特徴とする方法。
【請求項２】
前記インジケータは、ダウンリンク制御情報（ＤＣＩ）におけるビットフィールドである
ことを特徴とする請求項１に記載の方法。
【請求項３】
前記インジケータは、ダウンリンク制御情報（ＤＣＩ）のアグリゲーションレベル（ＡＬ）である
ことを特徴とする請求項１に記載の方法。
【請求項４】
前記設定される送信時間間隔長は、最近の復号されたダウンリンク制御情報（ＤＣＩ）又は最近の復号されたアグリゲーションレベル（ＡＬ）に基づいて、前記無線デバイスによって変更される
ことを特徴とする請求項３に記載の方法。
【請求項５】
前記設定される送信時間間隔長は、最近の復号されたダウンリンク制御情報（ＤＣＩ）又は最近の復号されたアグリゲーションレベル（ＡＬ）に基づいて、送信前の時間期間内で、前記無線デバイスによって変更される
ことを特徴とする請求項２又は３に記載の方法。
【請求項６】
ＨＡＲＱフィードバックを送信する場合に、前記無線デバイスは、前記ＨＡＲＱフィードバックが実行されるダウンリンク送信をスケジュールするために使用されたＤＣＩメッセージ又はＡＬレベルを評価し、最新の物理ダウンリンク制御チャネル送信に従って前記送信時間間隔長を変更するように構成設定される
ことを特徴とする請求項２乃至５のいずれか１項に記載の方法。
【請求項７】
ダウンリンク送信において、所定数のレイヤを設定するステップを更に有し、前記所定数は、前記送信時間間隔長に関連している
ことを特徴とする請求項６に記載の方法。
【請求項８】
前記設定される送信時間間隔長は、前記無線デバイスによって変更される
ことを特徴とする請求項１乃至７のいずれか１項に記載の方法。
【請求項９】
前記無線デバイスは、前記無線アクセスネットワークノードに向けて送信されるペイロードデータの量に関連して前記送信時間間隔長を変更する
ことを特徴とする請求項８に記載の方法。
【請求項１０】
前記設定される送信時間間隔長は、無線リソース制御（ＲＲＣ）シグナリングを使用する送信構成設定に関連して前記無線デバイスによって変更される
ことを特徴とする請求項１乃至９のいずれか１項に記載の方法。
【請求項１１】
前記設定される送信時間間隔長は、測定されたチャネル品質に関連して、前記無線デバイスによって変更される
ことを特徴とする請求項１乃至１０のいずれか１項に記載の方法。
【請求項１２】
前記チャネル品質は、リファレンス信号受信強度（ＲＳＲＰ）又はチャネル品質インジケータ（ＣＱＩ）を判定することを有する前記無線デバイスによって測定される
ことを特徴とする請求項１１に記載の方法。
【請求項１３】
前記設定される送信時間間隔長は、前記無線デバイスがダウンリンク制御情報（ＤＣＩ）を復号するまで最長送信時間間隔長が使用されるように、前記無線デバイスによって変更される
ことを特徴とする請求項１乃至１２のいずれか１項に記載の方法。
【請求項１４】
前記設定される送信時間間隔長は、スケジューリングリクエスト（ＳＲ）に対して最短時間間隔長が使用されるように、及び、所定時間間隔内でスケジューリングが実行されない場合に次のスケジューリングリクエスト（ＳＲ）に対して前記送信時間間隔長が増加されるように、前記無線デバイスによって変更される
ことを特徴とする請求項１乃至１３のいずれか１項に記載の方法。
【請求項１５】
前記送信時間間隔長がより長く変更される場合、より長い物理アップリンク共有チャネルを介してアップリンクデータを送信するステップを更に有する
ことを特徴とする請求項１乃至１４のいずれか１項に記載の方法。
【請求項１６】
無線アクセスネットワークノードとの通信が可能な無線デバイスを動作させる方法であって、
前記無線デバイスにおいて、物理アップリンク制御チャネルにおける送信時間間隔（ＴＴＩ）長を設定するステップと、
制御情報を、前記無線デバイスによって、前記物理アップリンク制御チャネルを介して前記設定された送信時間間隔長で送信するステップと、
前記無線アクセスネットワークノードから、前記設定される送信時間間隔長のインジケータを受信するステップと
を有することを特徴とする方法。
【請求項１７】
前記設定される送信時間間隔長を変更するステップを更に有する
ことを特徴とする請求項１６に記載の方法。
【請求項１８】
前記設定される送信時間間隔長は、前記無線デバイスと前記無線アクセスネットワークノードとの間のチャネル特性又はペイロード特性に基づいている
ことを特徴とする請求項１６又は１７に記載の方法。
【請求項１９】
前記インジケータは、ダウンリンク制御情報（ＤＣＩ）におけるビットフィールドである
ことを特徴とする請求項１６に記載の方法。
【請求項２０】
前記インジケータは、ダウンリンク制御情報（ＤＣＩ）のアグリゲーションレベル（ＡＬ）である
ことを特徴とする請求項１６又は１９に記載の方法。
【請求項２１】
前記設定される送信時間間隔長は、最近の復号されたダウンリンク制御情報（ＤＣＩ）又は最近の復号されたアグリゲーションレベル（ＡＬ）に基づいて、前記無線デバイスによって変更される
ことを特徴とする請求項１９又は２０に記載の方法。
【請求項２２】
前記設定される送信時間間隔長は、最近の復号されたダウンリンク制御情報（ＤＣＩ）又は最近の復号されたアグリゲーションレベル（ＡＬ）に基づいて、送信前の時間期間内で、前記無線デバイスによって変更される
ことを特徴とする請求項１９又は２０に記載の方法。
【請求項２３】
ＨＡＲＱフィードバックを送信する場合に、前記無線デバイスは、前記ＨＡＲＱフィードバックが実行されるダウンリンク送信をスケジュールするために使用されたＤＣＩメッセージ又はＡＬレベルを評価し、最新の物理ダウンリンク制御チャネル送信に従って前記送信時間間隔長を変更するように構成設定される
ことを特徴とする請求項１９乃至２２のいずれか１項に記載の方法。
【請求項２４】
ダウンリンク送信において、前記無線アクセスネットワークノードから、所定数のレイヤを受信するステップを更に有し、前記所定数は、前記設定される送信時間間隔長に関連している
ことを特徴とする請求項１６乃至２３のいずれか１項に記載の方法。
【請求項２５】
前記送信時間間隔長は、前記無線アクセスネットワークノードに向けて送信されるペイロードデータの量に関連して変更される
ことを特徴とする請求項１７乃至２４のいずれか１項に記載の方法。
【請求項２６】
前記設定される送信時間間隔長は、無線リソース制御（ＲＲＣ）シグナリングを使用する送信構成設定に関連して変更される
ことを特徴とする請求項１７乃至２５のいずれか１項に記載の方法。
【請求項２７】
前記設定される送信時間間隔長は、測定されたチャネル品質に関連して変更される
ことを特徴とする請求項１７乃至２６のいずれか１項に記載の方法。
【請求項２８】
前記チャネル品質は、リファレンス信号受信強度（ＲＳＲＰ）又はチャネル品質インジケータ（ＣＱＩ）を判定することを有する前記無線デバイスによって測定される
ことを特徴とする請求項２７に記載の方法。
【請求項２９】
前記設定される送信時間間隔長は、前記無線デバイスがダウンリンク制御情報（ＤＣＩ）を復号するまで最長送信時間間隔長が使用されるように変更される
ことを特徴とする請求項１７乃至２８のいずれか１項に記載の方法。
【請求項３０】
前記設定される送信時間間隔長は、スケジューリングリクエスト（ＳＲ）に対して最短時間間隔長が使用されるように、及び、所定時間間隔内でスケジューリングが実行されない場合に次のスケジューリングリクエスト（ＳＲ）に対して前記送信時間間隔長が増加されるように、前記無線デバイスによって変更される
ことを特徴とする請求項１７乃至２９のいずれか１項に記載の方法。
【請求項３１】
前記送信時間間隔長がより長く変更される場合、より長い物理アップリンク共有チャネルを介してアップリンクデータを送信するステップを更に有する
ことを特徴とする請求項１６乃至３０のいずれか１項に記載の方法。
【請求項３２】
無線デバイスとの通信が可能な無線アクセスネットワークノードを動作させる方法であって、
送信時間間隔長を、前記無線デバイスと前記無線アクセスネットワークノードとの間のチャネル特性又はペイロード特性に基づいて変更するステップであって、前記無線デバイスが、物理アップリンク制御チャネルにおける送信時間間隔（ＴＴＩ）長を、変更された送信時間間隔長に設定する、ステップと、
前記無線デバイスに向けて、前記変更された送信時間間隔長におけるインジケータを送信するステップと
を有することを特徴とする方法。
【請求項３３】
前記インジケータは、ダウンリンク制御情報（ＤＣＩ）におけるビットフィールドである
ことを特徴とする請求項３２に記載の方法。
【請求項３４】
前記インジケータは、ダウンリンク制御情報（ＤＣＩ）のアグリゲーションレベル（ＡＬ）である
ことを特徴とする請求項３２又は３３に記載の方法。
【請求項３５】
ダウンリンク送信において、所定数のレイヤを設定するステップを更に有し、前記所定数は、前記送信時間間隔長に関連している
ことを特徴とする請求項３２乃至３４のいずれか１項に記載の方法。
【請求項３６】
前記インジケータは、無線リソース制御（ＲＲＣ）シグナリングを使用する送信構成設定の一部として前記無線デバイスへ送信される
ことを特徴とする請求項３２乃至３５のいずれか１項に記載の方法。
【請求項３７】
チャネル品質を測定し、測定されたチャネル品質に基づいて前記送信時間間隔長を変更するステップを更に有する
ことを特徴とする請求項３２乃至３６のいずれか１項に記載の方法。
【請求項３８】
前記設定するステップにおいて、前記送信時間間隔長は、１乃至１３個のシンボルの内のいずれか１つの長さに設定される
ことを特徴とする請求項１乃至３７のいずれか１項に記載の方法。
【請求項３９】
前記シンボルは、直交周波数分割多重（ＯＦＤＭ）シンボル又はシングルキャリヤ周波数分割多元アクセス（ＳＣ−ＦＤＭＡ）シンボルである
ことを特徴とする請求項３８に記載の方法。
【請求項４０】
前記制御情報は、ハイブリッド自動反復リクエスト（ＨＡＲＱ）及びスケジューリングリクエストの少なくとも一方に関連する情報を含んでいる
ことを特徴とする請求項１乃至３９のいずれか１項に記載の方法。
【請求項４１】
前記チャネル特性は、前記無線デバイスと前記無線アクセスネットワークノードとの間のチャネル状態である
ことを特徴とする請求項１乃至４０のいずれか１項に記載の方法。
【請求項４２】
前記ペイロード特性は、前記無線デバイスと前記無線アクセスネットワークノードとの間で送信されるペイロードに対するペイロードデータ長である
ことを特徴とする請求項１乃至４１のいずれか１項に記載の方法。
【請求項４３】
前記送信時間間隔（ＴＴＩ）長は、２、４又は７個のシンボルのいずれか１つに設定される
ことを特徴とする請求項１乃至４２のいずれか１項に記載の方法。
【請求項４４】
前記物理アップリンク制御チャネルにおける前記送信時間間隔（ＴＴＩ）長は、２、４又は７個のシンボルのいずれか１つに設定される一方で、物理ダウンリンク制御チャネルにおける前記送信時間間隔（ＴＴＩ）長は、２、４又は７個のいずれか１つに設定される
ことを特徴とする請求項１乃至４３のいずれか１項に記載の方法。
【請求項４５】
物理ダウンリンク制御チャネルにおける前記送信時間間隔（ＴＴＩ）長ｄと前記物理アップリンク制御チャネルにおける前記送信時間間隔（ＴＴＩ）長ｕは、（２，２）、（２，７）及び（７，７）のいずれか１つである（ｕ，ｄ）に設定される
ことを特徴とする請求項１乃至４４のいずれか１項に記載の方法。
【請求項４６】
請求項１６乃至３１、及び、３８乃至４５のいずれか１項に記載の方法のステップを実行するよう動作する無線デバイス。
【請求項４７】
請求項３２乃至４５のいずれか１項に記載の方法のステップを実行するよう動作する無線アクセスネットワークノード。
【請求項４８】
処理回路及びメモリを備える無線デバイスであって、前記メモリが、請求項１６乃至３１、及び、３８乃至４５のいずれか１項に記載の方法を実現することを前記処理回路に命令するためのコードを記憶することを特徴とする無線デバイス。
【請求項４９】
処理回路及びメモリを備える無線アクセスネットワークノードであって、前記メモリが、請求項３２乃至４５のいずれか１項に記載の方法を実現することを前記処理回路に命令するためのコードを記憶することを特徴とする無線デバイス。
【国際調査報告】
2019521549.tif 000015
2019521549.tif 000016